(57)【要約】  椅子は、ユーザを椅子に着座させることを可能にするためのシート部と、該シート部を支持するための支持手段と、を含む。前記シート部は、前記支持手段上の複数の異なる高さ位置の間で移動可能であり、該シート部を支持手段に対して揺動させることによって、それぞれの高さ位置において支持手段と係合し、離脱するように適合されるロッキング手段を含み、前記シート部は、前記ロッキング手段が係合位置にあるときに支持手段に対して固定され、ロッキング手段が離脱されているときに異なる高さ位置の間で支持手段に対して自由に移動できる。
2008506438.tif 000002
【特許請求の範囲】
【請求項１】
ユーザを椅子に着座させることを可能にするためのシート部と、
前記シート部を支持するための支持手段と、
を備え、
前記シート部は、前記支持手段上の複数の異なる高さ位置の間で移動可能であり、
前記シート部は、該シート部を支持手段に対して揺動させることによって各高さ位置において支持手段と係合し、離脱するように構成されるロッキング手段を含むことを特徴とし、
前記シート部は、前記ロッキング手段が係合位置にあるときに支持手段に対して固定され、ロッキング手段が離脱されているときに異なる高さ位置の間で支持手段に対して自由に移動できる、
椅子。
【請求項２】
前記支持手段が、互いに離間された複数の位置決め構成体を含み、該位置決め構成体が、支持手段上のシート部の異なる高さ位置にほぼ対応し、選択された高さ位置においてシート部を固定するためのロッキング手段と共動するように構成される、請求項１に記載の椅子。
【請求項３】
前記シート部が、該シート部を支持手段の一部の上で上昇又は下降させ得るために支持手段の一部を受け止めるように構成されるスリーブ手段を含む、請求項１又は請求項２に記載の椅子。
【請求項４】
前記スリーブ手段が支持手段の前記一部に対する揺動移動のために構成される、請求項３に記載の椅子。
【請求項５】
前記ロッキング手段がスリーブ手段上に設けられる、請求項３又は請求項４に記載の椅子。
【請求項６】
前記ロッキング手段がスリーブ手段と共に移動するために配置される、請求項５に記載の椅子。
【請求項７】
前記ロッキング手段がピン手段を備える、請求項１から６のいずれか１項に記載の椅子。
【請求項８】
前記支持手段が一対の脚部を画定し、各脚部が該脚部の分割に沿った複数の離間された開口を含み、これら開口の位置が、支持手段上のシート部の異なる高さ位置にほぼ対応し、選択された高さ位置にシート部を固定するためのロッキング手段と共動するように構成される、
請求項１から７のいずれか１項に記載の椅子。
【請求項９】
一対のスリーブ構成体が前記シート部上で互いに離間して設けられ、前記支持手段の脚部がそれぞれのスリーブ構成体内を延出するように配置される、請求項８に記載の椅子。
【請求項１０】
前記シート部が、前記スリーブ構成体の間に配置される、請求項９に記載の椅子。
【請求項１１】
前記支持手段が、側面視で略Ｓ字形状である、請求項１から１０のいずれか１項に記載の椅子。
【請求項１２】
前記支持手段が、複数の前記支持手段と共に整然と位置されるように構成される、請求項１から１１のいずれか１項に記載の椅子。
【請求項１３】
図１から５のいずれかに示された椅子。
【発明の詳細な説明】
【技術分野】
【０００１】
本発明は、ユーザを着座位置に支持するための椅子又は他のこうした物品に関する。
【背景技術】
【０００２】
近年、特にオフィス環境及び学校環境で使用するために、家具のエルゴノミクス（人間工学）に更に重点が置かれるようになってきた。たとえば、椅子などのオフィス家具を異なる高さ要求を有するユーザに適合させることが一般的である。
【発明の開示】
【発明が解決しようとする課題】
【０００３】
本発明の目的は、異なる高さ要求を有するユーザに適合できる改良した椅子を提供することである。
【課題を解決するための手段】
【０００４】
本発明によると、ユーザを椅子に着座させることを可能にするためのシート部と、前記シート部を支持するための支持手段と、を含む椅子が提供され、前記シート部は、前記支持手段上の複数の異なる高さ位置の間で移動可能であり、前記シート部は、該シート部を支持手段に対して揺動させることによってそれぞれの高さ位置において支持手段と係合し、離脱するよう構成されるロッキング手段を含み、前記シート部は、前記ロッキング手段が係合位置にあるときに支持手段に対して固定され、ロッキング手段が離脱されているときに異なる高さ位置間で支持手段に対して自由に移動できる。
【０００５】
好ましくは、前記支持手段は、互いに離間された複数の位置決め構成体を含み、該位置決め構成体は、支持手段上のシート部の異なる高さ位置にほぼ対応し、選択された高さ位置においてシート部を固定するためのロッキング手段と共動するように適合される。
【０００６】
好ましくは、前記シート部は、該シート部を支持手段の一部の上で上昇又は下降することを可能にするために、支持手段のその一部を受け止めるように適合されるスリーブ手段を含む。
【０００７】
都合のよいことには、前記スリーブ手段は、支持手段の前記一部に対する揺動移動のために構成される。
【０００８】
好ましくは、前記ロッキング手段はスリーブ手段上に設けられ、スリーブ手段と共に移動するように構成されてもよい。
【０００９】
好ましくは、前記ロッキング手段はピン手段を含む。
【００１０】
好ましい実施の形態では、前記支持手段は一対の脚部を画定し、各脚部が該脚部の分割に沿った複数の離間された開口を有し、これら開口の位置は、支持手段上のシート部の異なる高さ位置にほぼ対応し、選択された高さ位置にシート部を固定するためのロッキング手段と共動するように構成される。
【００１１】
都合のよいことには、一対のスリーブ構成体が前記シート部上で互いに離間されて設けられ、前記支持手段の脚部がそれぞれのスリーブ構成体内を延出するように配置される。
【００１２】
好ましくは、前記シート部は前記スリーブ構成体の間に配置される。
【００１３】
好ましくは、前記支持手段は、側面視で略Ｓ字形状であり、複数の前記支持手段と共に整然と納まるように構成されてもよい。
【００１４】
本発明の他の好ましい特徴は、以下の説明及び従属クレームから容易に理解されることになる。
【発明を実施するための最良の形態】
【００１５】
以下、実施の形態を挙げ、添付図面を参照して本発明について説明する。
【００１６】
図１及び図２において、本発明の好ましい実施の形態に係る椅子１０が示されている。椅子１０は、ユーザ（図示せず）を着座位置に支持するためのシート部１２を含み、シート部１２は、管状フレーム形状の１４で示される支持手段に受け止められる。
【００１７】
図２に示すように、スリーブ式構成体１６はシート部１２の両側に設けられ、シート部１２の残存部と一体形成されるか、又は取り付けられる。管状フレーム１４は、ベース１７及び１対の脚部１８を画定する。椅子１０は、シート部１２をフレーム１４上で受け止めることができるように構成され、脚部１８の上端がスリーブ構成体１６内を上方に延出する。本実施の形態において、スタビライザ（安定脚）手段１９は、フレーム１４のベース１７に設けられ、床面などの平坦面に置かれるときに、椅子１０に安定性を付加する。
【００１８】
図２に明確に示すように、シート部１２がフレーム１４上に配置されていると、該シート部は、スリーブ構成体１６を介して脚部１８間で事実上垂下されている。
【００１９】
ここで図３において、図１及び図２に示される椅子と実質的に同一であるが、シート部の美的外観の比較的重要でない特徴についてやや異なる椅子も１０で示されている。その他の同様の構成要素も、図１及び図２に関して使用される同一参照番号が付されている。
【００２０】
図１及び図２に示される椅子のように、管状フレーム１４は、側面視で略Ｓ字形状であるように湾曲されている。脚部１８間にシート部１２を位置決めすることとともに、脚部１８の湾曲形状は、椅子１０を例えば複数の同一の椅子１０など、一致する形状の物品と容易に重ねることを可能にする。
【００２１】
以下に更に詳述するように、シート部１２は、フレーム１４に対して異なる高さ位置間で移動可能である。
【００２２】
図４及び図５において、スリーブ構成体１６の１つの内部構成及びフレーム脚部１８の１つとの関係が明確に示されている。
【００２３】
スリーブ構成体１６は、有効前面２２及び有効裏面２４を画定する穴（ボア）２０を有する略円錐軸を含む。ロッキングピン２６は、前面２２の下端部に隣接して設けられている。前記ロッキングピン２６は、共に移動するためのスリーブ構成体１６に剛性的に接続される。
【００２４】
図に示すように、開口２８は各脚部１８の上部に沿って離間された関係で設けられ、その４つが図４及び図５に示されている。それぞれの開口２８は、スリーブ構成体１６上でロッキングピン２６を受け止めるように構成される。各開口２８は他の脚部１８上で同様に位置決めされた開口と位置調整され、フレーム１４上の複数の異なる高さ位置を画定できることになり、シート部１２の位置はフレーム１４上で上昇又は下降され得る。
【００２５】
図４では、ロッキングピン２６は脚部１８の最下部の開口２８Ａに係合した状態で示され、シート部１２はフレーム１４上のその高さで、シート部１２の両側でスリーブ構成体１６上のロッキングピン２６の作用のもとで確実に保持される。図に示すように、脚部１８の前部は、穴２０の前面２２とほぼ接触状態にある。裏面２４の上部領域は、３０で示される傾斜部をさらに含み、後部脚部１８は、裏面２４及び傾斜面３０の間の境い目とほぼ接触状態にある。
【００２６】
この係合された位置において、ユーザは椅子１０のシート部１２に着座することができる。スリーブ構成体１６及びシート部１２は、ユーザがシート部１２に着座した状態で、椅子１０にかかる負荷の方向が、図４に示すように反時計回りにスリーブ構成体１６の下端部上に回転力を与えるように作用し、それによって、ロッキングピン２６を開口２８Ａ内に付勢する。この作用により、同様の回転力が脚部１８の上部に伝達され、該脚部をスリーブ穴部２０の前面２２と更に接触状態にすることが認められる。この回転効果は、フレーム１４上の選択された高さ位置にシート部１２を確実に保持するように作用する。
【００２７】
ユーザがシート部１２を異なる高さに上昇させたいと思う場合、ユーザはまず、図３において３２で示されるシート部１２の前端を持ち上げ、それによってシート部１２を図３に示すように時計回りに回転させ、ついには図５に示すようにロッキングピン２６が開口２８Ａから離脱される。シート部１２は次に、脚部１８の上部に沿って上方に移動させることができる。
【００２８】
シート部１２をフレーム１４上の固定位置に移動させるために、シート部１２の前部３２を脚部１８に向けて図３に示すように反時計回りに回転させて、実質的に図４に関して記載されたように、所望の高さ位置においてロッキングピン２６を開口２８に係合する。
【００２９】
上述した椅子１０の前部の前方及び後方への回転移動は、スリーブ構成体１６の下端部およびロッキングピン２６の揺動移動を本質的に引き起こす。したがって、シート部１２が、選択的に該シート部１２を所望の高さ位置に固定するために、それぞれの高さ位置において、ロッキングピン２６を介してフレーム１４と揺動係合するように配置されることを理解されたい。
【図面の簡単な説明】
【００３０】
【図１】図１は、本発明に係る椅子の好ましい実施の形態を示す概略斜視図である。
【図２】図２は、図１に示される椅子の概略正面図である。
【図３】図３は、図１及び図２に示される椅子に類似した椅子の概略側面図である。
【図４】図４は、図３において囲まれた領域の分解部分断面図であり、係合状態にあるシート部を示す図である。
【図５】図５は、シート部が離脱された状態にあることを示す、図４に類似した図である。
【図１】
2008506438.tif 000003
【図２】
2008506438.tif 000004
【図３】
2008506438.tif 000005
【図４】
2008506438.tif 000006
【図５】
2008506438.tif 000007
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
ユーザを椅子に着座させることを可能にするためのシート部と、
前記シート部を支持するために離間された複数の位置決め構成体を有する支持手段と、
を含み、
前記シート部が前記支持手段上の位置決め手段に対応する複数の異なる高さ位置の間で移動可能であり、前記シート部が、該シート部を支持手段に対して揺動させることによって支持手段の位置決め手段との係合及び位置決め手段からの離脱に適合されるロッキング手段を含み、位置決め手段及びロッキング手段が選択された高さ位置にシート部を位置決めするように共動し、前記シート部は、前記ロッキング手段が係合位置にあるときに支持手段に対して固定され、ロッキング手段が離脱されているときに異なる高さ位置の間で支持手段に対して自由に移動できる、
椅子。
【請求項２】
前記シート部が、該シート部を支持手段の一部の上で上昇又は下降させ得るために支持手段の一部を受け止めるように構成されるスリーブ手段を含む、請求項１に記載の椅子。
【請求項３】
前記スリーブ手段が支持手段の前記一部に対する揺動運動のために構成される、請求項２に記載の椅子。
【請求項４】
前記ロッキング手段がスリーブ手段上に設けられる、請求項２又は請求項３に記載の椅子。
【請求項５】
前記ロッキング手段がスリーブ手段と共に動作するために構成される、請求項４に記載の椅子。
【請求項６】
前記ロッキング手段がピン手段を含む、請求項１から５のいずれか１項に記載の椅子。
【請求項７】
前記支持手段が一対の脚部を画定し、各脚部が該脚部の一部に沿った複数の離間された開口を含み、これら開口の位置が、支持手段上のシート部に対する異なる高さ位置にほぼ対応し、選択された高さ位置にシート部を固定するためのロッキング手段と共動するように構成される、
請求項１から６のいずれか１項に記載の椅子。
【請求項８】
一対のスリーブ構成体が前記シート部上で互いに離間して設けられ、前記支持手段の脚部がそれぞれのスリーブ構成体内を延出するように配置される、請求項７に記載の椅子。
【請求項９】
前記シート部が、前記スリーブ構成体の間に配置される、請求項８に記載の椅子。
【請求項１０】
前記支持手段が、側面視で略Ｓ字形状である、請求項１から９のいずれか１項に記載の椅子。
【請求項１１】
前記支持手段が、複数の前記支持手段と共に整然と位置されるように構成される、請求項１から１０のいずれか１項に記載の椅子。
【国際調査報告】
2008506438.tif 000008
2008506438.tif 000009